(57)【特許請求の範囲】
【請求項１】
複数の機器に各々対応付けられた識別情報、及び完成図書データを記憶する記録媒体と、
前記複数の機器のうちの第一の機器に係る情報表示画面から完成図書データの閲覧要求を受け付ける受付部と、
前記閲覧要求により閲覧された閲覧部分を特定する閲覧履歴情報を取得する閲覧履歴取得部と、
前記閲覧履歴情報により特定された前記閲覧部分へのリンクを前記第一の機器に係る情報表示画面に表示させる制御部と、
を備えることを特徴とする情報処理装置。
【請求項２】
前記閲覧履歴情報に基づき、前記完成図書データの前記閲覧部分に係る抜粋データを作成するデータ抜粋部をさらに備え、
前記閲覧部分へのリンクに基づき前記抜粋データにアクセスされることを特徴とする、請求項１に記載の情報処理装置。
【請求項３】
前記閲覧履歴情報は、閲覧要求により閲覧された閲覧部分に係る閲覧時間を含み、
前記制御部は、前記閲覧時間が所定時間より長い閲覧部分に係るリンクを前記第一の機器に係る表示画面に表示させることを特徴とする、請求項１又は２に記載の情報処理装置。
【請求項４】
前記閲覧履歴情報は、閲覧要求により閲覧された閲覧部分に係る閲覧回数を含み、
前記制御部は、前記閲覧回数が所定回数より多い閲覧部分に係るリンクを前記第一の機器に係る表示画面に表示させることを特徴とする、請求項１乃至３のいずれか一項に記載の情報処理装置。
【請求項５】
前記閲覧履歴情報は、閲覧要求により閲覧された閲覧部分に係る閲覧人数を含み、
前記制御部は、前記閲覧人数が所定数より多い閲覧部分に係るリンク前記第一の機器に係る表示画面に表示させることを特徴とする、請求項１乃至４のいずれか一項に記載の情報処理装置。
【請求項６】
複数の機器に各々対応付けられた識別情報、及び完成図書データを記憶するステップと、
前記複数の機器のうちの第一の機器に係る情報表示画面から完成図書データの閲覧要求を受け付けるステップと、
前記閲覧要求により閲覧された閲覧部分を特定する閲覧履歴情報を取得するステップと、
前記閲覧履歴情報により特定された前記閲覧部分へのリンクを前記第一の機器に係る情報表示画面に表示させるステップと、
を含む、情報処理方法。
【請求項７】
情報処理装置として機能するコンピュータに、
複数の機器に各々対応付けられた識別情報、及び完成図書データを記憶するステップと、
前記複数の機器のうちの第一の機器に係る情報表示画面から完成図書データの閲覧要求を受け付けるステップと、
前記閲覧要求により閲覧された閲覧部分を特定する閲覧履歴情報を取得するステップと、
前記閲覧履歴情報により特定された前記閲覧部分へのリンクを前記第一の機器に係る情報表示画面に表示させるステップと、
を実行させるプログラム。
【発明の詳細な説明】
【技術分野】
【０００１】
本発明は、完成図書データを取り扱う情報処理装置、情報処理方法、及びプログラムに関するものである。
【背景技術】
【０００２】
従来から、水道設備等のプラントと機器とに関する取扱説明書及び完成図面に係る完成図書データが蓄積されたデータベースを具備し、端末装置からのアクセスに応じてプラントを構成する設備群を系統的に示す系統図画面を表示して、系統図画面上の選択箇所に応じてデータベースにアクセスして選択箇所に応じた完成図書データを通信端末に送信するプラント管理システムが提案されている（例えば特許文献１）。
【先行技術文献】
【特許文献】
【０００３】
【特許文献１】特開２００６−０３１５３３号公報
【発明の概要】
【発明が解決しようとする課題】
【０００４】
一般に完成図書データは、多数ページのＰＤＦ（Ｐｏｒｔａｂｌｅ Ｄｏｃｕｍｅｎｔ Ｆｏｒｍａｔ）形式のデータである。完成図書データは、あるプラントにおいてある工事が実施された場合、工事単位で作成される。ひとつの工事における情報量は膨大であり、ひとつの完成図書データには複数の機器に係る情報が含まれる。したがってデータベースの完成図書データにアクセスしても、所望の情報になかなか辿りつけず、所望の情報を取得することが困難であった。
【０００５】
従って、上記のような問題点に鑑みてなされた本発明の目的は、完成図書データの中の所望の情報に、より迅速かつ容易にアクセスすることができる情報処理装置及び情報処理方法を提供することにある。
【課題を解決するための手段】
【０００６】
上記課題を解決するために本発明の一側面に係る情報処理装置は、
複数の機器に各々対応付けられた識別情報、及び完成図書データを記憶する記録媒体と、
前記複数の機器のうちの第一の機器に係る情報表示画面から完成図書データの閲覧要求を受け付ける受付部と、
前記閲覧要求により閲覧された閲覧部分を特定する閲覧履歴情報を取得する閲覧履歴取得部と、
前記閲覧履歴情報により特定された前記閲覧部分へのリンクを前記第一の機器に係る情報表示画面に表示させる制御部と、
を備えることを特徴とする。
【０００７】
また、本発明の一側面に係る情報処理装置は、
前記閲覧履歴情報に基づき、前記完成図書データの前記閲覧部分に係る抜粋データを作成するデータ抜粋部をさらに備え、
前記閲覧部分へのリンクに基づき前記抜粋データにアクセスされることを特徴とする。
【０００８】
また、本発明の一側面に係る情報処理装置は、
前記閲覧履歴情報は、閲覧要求により閲覧された閲覧部分に係る閲覧時間を含み、
前記制御部は、前記閲覧時間が所定時間より長い閲覧部分に係るリンクを前記第一の機器に係る表示画面に表示させることを特徴とする。
【０００９】
また、本発明の一側面に係る情報処理装置は、
前記閲覧履歴情報は、閲覧要求により閲覧された閲覧部分に係る閲覧回数を含み、
前記制御部は、前記閲覧回数が所定回数より多い閲覧部分に係るリンクを前記第一の機器に係る表示画面に表示させることを特徴とする。
【００１０】
また、本発明の一側面に係る情報処理装置は、
前記閲覧履歴情報は、閲覧要求により閲覧された閲覧部分に係る閲覧人数を含み、
前記制御部は、前記閲覧人数が所定数より多い閲覧部分に係るリンク前記第一の機器に係る表示画面に表示させることを特徴とする。
【００１１】
また、本発明の一側面に係る情報処理方法は、
複数の機器に各々対応付けられた識別情報、及び完成図書データを記憶するステップと、
前記複数の機器のうちの第一の機器に係る情報表示画面から完成図書データの閲覧要求を受け付けるステップと、
前記閲覧要求により閲覧された閲覧部分を特定する閲覧履歴情報を取得するステップと、
前記閲覧履歴情報により特定された前記閲覧部分へのリンクを前記第一の機器に係る情報表示画面に表示させるステップと、
を含むことを特徴とする。
【００１２】
また、本発明の一側面に係るプログラムは、
情報処理装置として機能するコンピュータに、
複数の機器に各々対応付けられた識別情報、及び完成図書データを記憶するステップと、
前記複数の機器のうちの第一の機器に係る情報表示画面から完成図書データの閲覧要求を受け付けるステップと、
前記閲覧要求により閲覧された閲覧部分を特定する閲覧履歴情報を取得するステップと、
前記閲覧履歴情報により特定された前記閲覧部分へのリンクを前記第一の機器に係る情報表示画面に表示させるステップと、
を実行させることを特徴とする。
【発明の効果】
【００１３】
本発明における情報処理装置、情報処理方法、及びプログラムによれば、完成図書データの中の所望の情報に、より迅速かつ容易にアクセスすることができる。
【図面の簡単な説明】
【００１４】
【図１】本発明の一実施形態に係る情報処理装置を含むシステムの概要図である。
【図２】情報処理装置のハードウェアの一実施形態を示す図である。
【図３】端末のハードウェアの一実施形態を示す図である。
【図４】機器のユニーク識別情報に係るテーブルの一例である。
【図５】階層構造の概念図である。
【図６】各機器の登録データテーブルの一例である。
【図７】工事情報の登録に係る登録処理を示すフローチャートである。
【図８】工事情報の登録画面の一例である。
【図９】完成図書データの登録に係る登録作業を示すフローチャートである。
【図１０】完成図書の登録画面の一例である。
【図１１】完成図書のアップロードのためのダイアログボックスの一例である。
【図１２】完成図書データが登録された後の完成図書の登録画面の一例である。
【図１３】工事情報及び完成図書に係る登録情報テーブルの一例である。
【図１４】完成図書データの閲覧処理に係る動作を示すフローチャートである。
【図１５】本システム用のアプリケーションのホーム画面である。
【図１６】カメラで撮像した画像にＡＲタグが含まれている表示例である。
【図１７】所定の機器に係る情報表示画面の一例である。
【図１８】完成図書データを閲覧するための閲覧画面の一例である。
【図１９】閲覧履歴情報の一例である。
【図２０】更新された登録データテーブルの一例である。
【図２１】更新された登録データテーブルに基づく所定の機器に係る情報表示画面の一例である。
【図２２】閲覧履歴情報の他の一例である。
【発明を実施するための形態】
【００１５】
以下、本発明の実施の形態について説明する。
【００１６】
（実施の形態）
以下図面に基づいて、実施形態について詳細を説明する。図１は、本発明の一実施形態に係る情報処理装置を含むシステムの概要図である。図１に示すシステムは、例えば、水道設備、下水道設備、環境設備それぞれを管理するシステムまたは水道設備、下水道設備、環境設備を総合管理するシステムなどが考えられる。
【００１７】
水道設備は、例えば、浄水場の濾過設備、濾過の過程で発生した汚泥の処理設備などの各種機械設備、ならびにプラントを運転するための受変電設備、計装設備、監視制御設備などの各種電気設備などである。下水道設備は、例えば、水処理用散気装置、汚泥脱水機、汚泥焼却炉、下水汚泥のガス化・燃料化システムに加え高速雨水処理システムなどの各種機械設備、ならびに、プラントを運転するための受変電設備、計装設備、監視制御設備などの各種電気設備などである。環境設備は、例えば、都市ゴミのリサイクル、資源化などの都市環境に不可欠なゴミ処理プラント、ガス化溶融炉やリサイクルプラザ、ゴミ炭化プラント、バイオマス発電システム、廃棄プラスチック破袋選別装置などである。
【００１８】
ただし、本システムは水道設備、下水道設備、環境設備を管理するシステムに限定されるものではなく、他の各種プラントを管理するシステムでもよい。図１の情報処理装置１は、例えば、クラウドコンピューティングを提供する側のデータセンタに設けられている情報処理装置（１つ以上のサーバコンピュータから構成される装置）が考えられる。端末２ａ〜２ｎは、例えば、携帯情報端末（携帯電話機、Ｐｅｒｓｏｎａｌ  Ｈａｎｄｙ−ｐｈｏｎｅ  Ｓｙｓｔｅｍ（ＰＨＳ）、スマートフォン、タブレットパーソナルコンピュータなど）、据え置き型の情報端末などが考えられる。ネットワーク３は、例えば、有線または無線を用いた通信に利用される回線などが考えられる。
【００１９】
次に情報処理装置１と端末２について説明をする。図２及び図３は、情報処理装置１及び端末２のハードウェアの一実施形態を示す図である。
【００２０】
図２に示す情報処理装置１のハードウェアは、例えば、制御部１０１、記憶部１０２、記録媒体読取装置１０３、記録媒体１０４、通信部１０５、受付部１０７、閲覧履歴取得部１０８、データ抜粋部１０９を備えている。また、各構成部は、バス１０６によりそれぞれ接続されている。
【００２１】
図３に示す端末２ａ〜２ｎ（以降、端末２という。）のそれぞれのハードウェアは、例えば、制御部２０１、記憶部２０２、記録媒体読取装置２０３、入出力制御部２０４、通信部２０５などを備えている。また、各構成部はバス２０６によりそれぞれ接続されている。
【００２２】
制御部１０１及び２０１は、Ｃｅｎｔｒａｌ  Ｐｒｏｃｅｓｓｉｎｇ  Ｕｎｉｔ（ＣＰＵ）、マルチコアＣＰＵ、プログラマブルなデバイス（Ｆｉｅｌｄ  Ｐｒｏｇｒａｍｍａｂｌｅ  Ｇａｔｅ  Ａｒｒａｙ（ＦＰＧＡ）、Ｐｒｏｇｒａｍｍａｂｌｅ  Ｌｏｇｉｃ  Ｄｅｖｉｃｅ（ＰＬＤ）など）を用いることが考えられる。制御部１０１及び２０１により、後述する各種データの登録等、各種処理を行う。
【００２３】
記憶部１０２及び２０２は、例えばＲｅａｄ  Ｏｎｌｙ  Ｍｅｍｏｒｙ（ＲＯＭ）、Ｒａｎｄｏｍ  Ａｃｃｅｓｓ  Ｍｅｍｏｒｙ（ＲＡＭ）などのメモリやハードディスクなどが考えられる。なお、記憶部１０２及び２０２はパラメータ値、変数値などのデータを記録してもよいし、実行時のワークエリアとして用いられてもよい。なお、情報処理装置１の記憶部１０２は外部に設けたデータベースなどの記憶装置でもよい。
【００２４】
記録媒体読取装置１０３及び２０３は、制御部１０１又は２０１の制御に従って記録媒体１０４又は２０７に対するデータのリード／ライトを制御する。そして、記録媒体読取装置１０３及び２０３は、記録媒体１０４又は２０７にデータを記録させたり、記録媒体１０４又は２０７に記録されたデータを読み取らせたりする。本実施の形態では、記録媒体１０４に記憶されるデータは、複数の機器及び設備等（以下、機器及び設備等をまとめて「機器」という。）に係るデータ、工事台帳にかかるデータ、及び完成図書データ等である。記録媒体１０４又は２０７は、コンピュータで読み取り可能なｎｏｎ−ｔｒａｎｓｉｔｏｒｙ（非一時的）な記録媒体として、磁気記録装置、光ディスク、光磁気記録媒体、半導体メモリなどがある。磁気記録装置には、ハードディスク装置（ＨＤＤ）などがある。光ディスクには、Ｄｉｇｉｔａｌ  Ｖｅｒｓａｔｉｌｅ  Ｄｉｓｃ（ＤＶＤ）、Ｄｉｇｉｔａｌ  Ｖｅｒｓａｔｉｌｅ  Ｄｉｓｃ−Ｒａｎｄｏｍ  Ａｃｃｅｓｓ  Ｍｅｍｏｒｙ（ＤＶＤ−ＲＡＭ）、Ｃｏｍｐａｃｔ  Ｄｉｓｃ−Ｒｅａｄ  Ｏｎｌｙ  Ｍｅｍｏｒｙ（ＣＤ−ＲＯＭ）、ＣＤ−Ｒ(Ｒｅｃｏｒｄａｂｌｅ)／ＲＷ（ＲｅＷｒｉｔａｂｌｅ）などがある。光磁気記録媒体には、Ｍａｇｎｅｔｏ−Ｏｐｔｉｃａｌ  Ｄｉｓｃ（ＭＯ）などがある。なお、記憶部１０２又は２０２もｎｏｎ−ｔｒａｎｓｉｔｏｒｙ（非一時的）な記録媒体に含まれる。
【００２５】
入出力制御部２０４には、入出力Ｉ／Ｆ２０８（表示装置、キーボード、マウス、タッチパネル、カメラ等）が接続され、入出力制御部２０４は、入出力Ｉ／Ｆ２０８から入力された情報を受信し、バス２０６を介してその情報を制御部２０１に送信する。また、入出力制御部２０４は、制御部２０１から送信されたデータに従って入出力Ｉ／Ｆ２０８の出力装置（表示部）の画面に表示をさせる。
【００２６】
通信部１０５及び２０５はネットワーク３に接続され、通信を行う。受付部１０７は、端末２からの完成図書データの閲覧要求を受け付ける。閲覧履歴取得部１０８は、端末２により閲覧された完成図書データの閲覧に係る履歴情報を端末２から取得する。データ抜粋部１０９は、閲覧履歴情報に基づき、完成図書データのうちの一部分を抽出（抜粋）する。なお受付部１０７、閲覧履歴取得部１０８、及びデータ抜粋部１０９の機能は、制御部１０１に設けてもよい。これらの詳細動作については後述する。
【００２７】
次に記録媒体１０４に記憶されているデータについて説明する。図４は、記録媒体１０４に記憶されている、機器に各々対応付けられたユニークな識別情報（以下、ユニーク識別情報、又は単に識別情報という。）の識別情報テーブル５０１である。図４に示すように、各機器（「機場１」「施設１」「区域」「部屋１」「部屋２」「部屋３」「盤３」「部品４」等）に各々一意のユニーク識別情報が対応付けられている。ユニーク識別情報は、機器が設置されている場所に応じた階層構造（ツリー構造）に係る情報を含む。例えば第１階層に位置している所定の機器のユニーク識別情報は、３桁の番号で表される。なお第１階層に位置している所定の機器は、通常は機場である。
【００２８】
また本実施の形態においては、第２階層に位置している機器のユニーク識別情報は、当該機器の直近上位の階層（第１階層）の機器のユニーク識別情報に、２桁の番号（以下、「作業上の識別番号」、又は単に「識別番号」という。）を連結したものである。すなわち第２階層の機器のユニーク識別情報は、「ａａａ．ｂｂ」というフォーマットで表される。ここで「ａａａ」は、直近上位の階層（第１階層）の機器のユニーク識別情報であり、「ｂｂ」は、当該機器の識別番号である。なおａ及びｂは、０〜９の整数である。
【００２９】
同様に本実施の形態においては、第３階層に位置している機器のユニーク識別情報は、当該機器の直近上位の階層（第２階層）の機器のユニーク識別情報に、識別番号を連結したものである。すなわち第３階層の機器のユニーク識別情報は、「ａａａ．ｂｂ．ｃｃ」というフォーマットで表される。ここで「ａａａ．ｂｂ」は、直近上位の階層（第２階層）の機器のユニーク識別情報であり、ｃｃは、当該機器の識別番号である。なおａ、ｂ及びｃは、０〜９の整数である。
【００３０】
このように本実施の形態においては、一般に第Ｘ階層に位置している機器のユニーク識別情報は、当該機器の直近上位の階層（第Ｘ−１階層）の機器のユニーク識別情報に、当該機器の識別番号を連結したものであり、「ａａａ．ｂｂ．ｃｃ．ｄｄ．ｅｅ・・・」というフォーマットで表される。なおａ、ｂ、ｃ、ｄ、ｅ等は、０〜９の整数である。
【００３１】
図５は、図４に示される識別情報テーブル５０１に基づく階層構造の概念図である。図５に示される円形は、「機場１」「機場２」「施設１」「施設２」「区域」「部屋１」「部屋２」「部屋３」「盤１」「盤２」「盤３」「盤４」「部品１」〜「部品１０」等の各機器を示している。各機器には、識別番号（「１２３」「１５」「２３」「０１」「０２」「０３」「１０」等）が対応付けられている。図４に示すように、「機場１」の直近下位に「施設１」が存在する。また「施設１」の直近下位に「区域」が存在する。当該階層構造は、各機器の設置されている場所に基づく。すなわち、「機場１」の敷地内に「施設１」が存在し、「施設１」の施設内に「区域」が存在することを意味する。同様に、「区域」内に、「部屋１」〜「部屋３」が存在することを意味する。また各部屋（「部屋１」〜「部屋３」）内に、「盤１」〜「盤４」が設置されていることを意味する。さらに各「盤１」〜「盤４」が各部品（「部品１」等）を備えていることを示している。
【００３２】
当該作業上の識別番号は、各機器の本体等に貼り付けたシールに記載される。そのため作業者は機器と識別番号との対応関係を容易に把握することができる。また当該シールには、当該機器のユニーク識別情報が、２次元バーコード等のＡＲタグの形式で記載されている。作業者の操作により当該ＡＲタグを端末２が読み取ることで、端末２はユニーク識別情報を当該ＡＲタグから容易に取得することができる。
【００３３】
図６は、記録媒体１０４に記憶されている、各機器の登録データテーブル５０２ａの一例である。登録データテーブル５０２ａには、ある機器に対応付けて登録されたデータ（文書ファイル、画像ファイル、音声ファイル、映像ファイル等）に係る情報を含む。例えば登録データテーブル５０２ａは、「部品４」に、「文書１．ｐｄｆ」、「文書２．ｄｏｃ」、「画像１．ｊｐｇ」が各登録日に部品４のユニーク識別情報に対応付けて記憶されていることを示している。これらの情報の登録処理は以下の通りである。すなわち例えば作業者の操作により端末２が登録するデータを指定して情報処理装置１に登録要求をして、データをアップロードする。登録要求は、登録対象のデータ及びユニーク識別情報を含む。情報処理装置１は登録要求を受けた場合、所定の機器にデータを登録する。具体的には情報処理装置１は、登録要求に含まれるユニーク識別情報に係る登録データテーブルに、登録データを記録する。このようにデータを登録する対象の機器が１つである場合、上述の方法により、機器毎にデータを対応付ける。
【００３４】
記録媒体１０４は、工事台帳データ（以下、工事情報という。）及び完成図書データも記憶している。完成図書データは、あるプラントにおいて所定の工事が実施された場合、当該工事単位で作成される。一つの工事における情報量は膨大であり、完成図書データには複数の機器に係る情報が含まれる。完成図書は取扱説明書等を含む多数ページのＰＤＦ形式のデータ、又は当該ＰＤＦ形式のデータを圧縮したＺＩＰ形式等のデータである。以下、工事台帳データ及び当該完成図書データを登録する処理について説明する。
【００３５】
図７は、工事台帳データの登録に係る処理を示すフローチャートである。はじめに端末２の制御部２０１は、作業者の操作に基づき、情報処理装置１に通信部２０５を介して工事情報の登録画面を要求する（ステップＳ１００）。当該登録画面の要求を受信した場合、情報処理装置１の制御部１０１は、通信部１０５を介して工事情報に係る登録画面データを送信する（ステップＳ１０１）。
【００３６】
工事情報に係る登録画面データを受信すると、端末２の制御部２０１は、入出力Ｉ／Ｆ２０８の表示部により、工事情報の登録画面を表示する（ステップＳ１０２）。
【００３７】
図８に、工事情報の登録画面８００の一例を示す。工事情報の登録画面８００は、工事情報の各項目（発注年度、工事番号、工事名称、工事業種、工期終了日、請負業者）の入力欄８０１、データ取得ボタン８０２、登録先名称表示部８０３、登録先検索ボタン８０４、及び登録ボタン８０５を含む。入力欄８０１には、各項目に対応してテキスト入力ボックスが設けられており、作業者は入出力Ｉ／Ｆ２０８のキーボード等により各項目の値を入力する（図７のステップＳ１０３）。好適には図８に示すように、必須入力項目が作業者に認識可能なように示される。データ取得ボタン８０２は、各項目に係る情報を含むＸＭＬファイルをインポートするためのボタンである。データ取得ボタン８０２をクリック、タッチ等により選択（以下、単に「選択」という。）した場合、各項目に係る情報を含むＸＭＬファイルを指定し、ＸＭＬファイルに基づき各項目に係る情報をテキスト入力ボックスに自動挿入する。このようにすることで作業者が各項目の値を手動で入力する手間を省くことができる。登録先名称表示部８０３は、工事情報を登録する登録先の機器（通常は機場）の名称が表示される。登録先検索ボタン８０４は、工事情報を登録する登録先の機器を検索するためのボタンである。登録先検索ボタン８０４が作業者により選択されたことを検知した場合、端末２の制御部２０１は、機器一覧の情報を表示し、作業者に工事情報の登録先を選択させる。
【００３８】
登録ボタン８０５は、入力欄８０１に入力された各項目の値及び登録先名称表示部８０３において指定された機器に基づき、工事情報を登録するためのボタンである。作業者が登録ボタン８０５を選択したことを検知した場合、端末２の制御部２０１は、入力欄８０１に入力された情報に基づき、登録要求を情報処理装置１に送信する（図７のステップＳ１０４）。情報処理装置１の制御部１０１は、当該登録要求に基づき、工事情報を登録する（ステップＳ１０５）。具体的には制御部１０１は、登録先の機器（この場合、機場）に係るユニーク識別情報と、工事情報とを対応付けて記録媒体１０４に記憶する。このようにして工事情報が記憶（登録）される。
【００３９】
図９は、完成図書データの登録に係る処理を示すフローチャートである。完成図書データの登録は、工事情報の登録に続いて行われる。すなわち上記ステップＳ１０５に続いて、完成図書データの登録を促すダイアログ画面を端末２の入出力Ｉ／Ｆ２０８の表示部に表示し、完成図書の登録を作業者に促す。
【００４０】
はじめに端末２の制御部２０１は、作業者の操作に基づき、情報処理装置１に完成図書の登録画面を要求する（ステップＳ１１０）。当該登録画面の要求を受信した場合、情報処理装置１の制御部１０１は、通信部２０５を介して、完成図書に係る登録画面データを送信する（ステップＳ１１１）。
【００４１】
完成図書に係る登録画面データを受信すると、端末２の制御部２０１は、入出力Ｉ／Ｆ２０８の表示部により、完成図書の登録画面を表示する（ステップＳ１１２）。
【００４２】
図１０に、完成図書の登録画面１０００の一例を示す。登録画面１０００は、登録先名称表示欄１００１、工事情報表示欄１００２、完成図書データ表示欄１００３、及び登録ボタン１００４を含む。登録先名称表示欄１００１及び工事情報表示欄１００２には、それぞれ工事情報の登録処理により登録された登録先名称及び工事情報が表示される。完成図書データ表示欄１００３には、登録済みの完成図書データが表示される。完成図書データが登録されていない場合、図１０に示すように完成図書データ表示欄１００３は空欄となる。登録ボタン１００４は、完成図書データを登録するためのボタンである。
【００４３】
作業者が登録ボタン１００４を選択したことを検知した場合、端末２の制御部２０１は、図１１に示す完成図書データのアップロードのためのダイアログボックス１１００を表示する。ダイアログボックス１１００は、ファイル選択ボタン１１０１、データ表示欄１１０２、登録ボタン１１０３、及びキャンセルボタン１１０４を含む。当該ダイアログボックス１１００において、作業者がファイル選択ボタン１１０１を選択したことを検知した場合、端末２の制御部２０１は、作業者からの完成図書データの選択を受け付ける（ステップＳ１１３）。具体的には端末２の制御部２０１は、作業者がファイル選択ボタン１１０１を選択したことを検知した場合、端末２内に存在するファイル一覧を表示する。作業者は当該ファイル一覧から完成図書データを選択する。データ表示欄１１０２には、このようにして特定された完成図書データの名称（ここではＢ００１．ｚｉｐ）が表示される。
【００４４】
作業者が登録ボタン１１０３を選択したことを検知した場合、端末２の制御部２０１は、登録先の機器（この場合、機場）に完成図書データを登録する登録要求を、通信部２０５を介して情報処理装置１に送信する（ステップＳ１１４）。当該登録要求を受信した場合、情報処理装置１の制御部１０１は、登録要求に係る完成図書データを登録する。具体的には制御部１０１は、登録先の機器（この場合、機場）に係るユニーク識別情報と、完成図書データとを対応付けて記録媒体１０４に記憶する。完成図書が登録された場合、図１２に示すように完成図書データ表示欄１００３に、登録した完成図書データ（ここではＢ００１．ｚｉｐ）が表示される。
【００４５】
図１３は、このようにして登録された工事情報及び完成図書データに係る登録情報テーブル５０３の一例である。図１３に示すように、工事情報及び完成図書データは、機場のユニーク識別情報に対応付けて記憶（登録）される。なお工事情報及び完成図書データの登録先は機場に限られず、テナントに登録してもよい。この場合テナントのユニーク識別情報に対応付けられて記憶されることになる。
【００４６】
次に、このようにして登録された完成図書データの閲覧処理に係る動作について、図１４に示すフローチャートにより説明する。
【００４７】
はじめに端末２は、所定の機器を特定する（ステップＳ２００）。具体的には例えば、端末２の入出力Ｉ／Ｆ２０８のカメラより、各機器に貼り付けられたシールのＡＲタグを読み取ることによって、端末２が機器を特定する。図１５は、端末２の入出力Ｉ／Ｆ２０８の表示部に表示される、本システム用のアプリケーションのホーム画面１５００である。ホーム画面１５００は、ＡＲタグを読み込むためのボタン１５０１及び検索ボタン１５０２を含む。なおＡＲタグを読み込むことによる機器の特定の他、作業者が階層構造を辿って機器を特定してもよい。検索ボタン１５０２が選択された場合、端末２は機器を階層毎に表示し、作業者は階層毎の情報を元に機器を特定する。
【００４８】
作業者がボタン１５０１を選択したことを検知した場合、端末２の制御部２０１は、カメラを起動して画像を撮像する。撮像した画像にＡＲタグが含まれる場合、当該ＡＲタグに対応する機器の情報を撮像画像に重畳して表示する。図１６は、カメラで撮像した撮像画像１６０１にＡＲタグ１６０２が含まれている例を示している。図１６では、ＡＲタグ１６０２は機器「部品４」に対応するものである。この場合、ＡＲタグ１６０２に対応する機器情報１６０３を重畳して表示している。端末２は、情報処理装置１と通信して識別情報テーブル５０１に基づき機器情報１６０３を表示する。なお端末２は、予め識別情報テーブル５０１を情報処理装置１から受信して記録媒体２０７に記憶しておいてもよい。この場合端末２は、記録媒体２０７に記憶した識別情報テーブル５０１に基づき機器情報１６０３を表示する。
【００４９】
機器情報１６０３は、当該機器の識別番号１６０４及び登録情報表示ボタン１６０５を含む。作業者が登録情報表示ボタン１６０５を選択した場合、端末２の制御部２０１は、当該所定の機器の登録情報を情報処理装置１に要求する（図１４のステップＳ２０１）。当該要求には、所定の機器のユニーク識別情報が含まれる。当該要求を受信した場合、情報処理装置１は、所定の機器のユニーク識別情報に対応する登録データテーブル５０２ａに基づき、所定の機器に登録されている登録情報を送信する（ステップＳ２０２）。
【００５０】
登録情報を受信すると端末２の制御部２０１は、当該所定の機器に係る情報表示画面を表示する（ステップＳ２０３）。図１７に端末２において表示される所定の機器に係る情報表示画面１７００の例を示す。情報表示画面１７００は、機器名称表示欄１７０１と、登録データのアイコン１７０２〜１７０４と、完成図書データ取得ボタン１７０５とを含む。１７０２〜１７０４は、登録データテーブル５０２ａに記憶されている各登録データ（「文書１．ｐｄｆ」、「文書２．ｄｏｃ」、「画像１．ｊｐｇ」）にアクセスするためのリンクであり、各登録データのアイコンやサムネイルにより表示される。アイコン１７０２〜１７０４が作業者により選択されたことを検知した場合、端末２の制御部２０１は、アイコンに対応する登録データを情報処理装置１から受信（ダウンロード）する。端末２の制御部２０１は、一度登録データをダウンロードした場合、当該データを記録媒体２０７に記憶する。その後にアイコン１７０２〜１７０４が作業者によりタップ等により選択されたことを検知した場合、端末２の制御部２０１は、記録媒体２０７から登録データを読み出す。
【００５１】
作業者により完成図書データ取得ボタン１７０５が選択されたことを検知した場合、端末２の制御部２０１は、情報処理装置１に完成図書データの閲覧要求を送信する（図１４、ステップＳ２０４）。当該閲覧要求には、情報表示画面１７００に係る所定の機器のユニーク識別情報を含む。
【００５２】
端末２からの完成図書データの閲覧要求を情報処理装置１の受付部１０７が受け付けた場合、制御部１０１は、当該所定の機器の上位の階層に位置する機器（例えば機場）に登録されている完成図書データを端末２に送信する（ステップＳ２０５）。具体的には本実施の形態では、情報処理装置１の制御部１０１は、閲覧要求に含まれるユニーク識別情報の第１階層に係るユニーク識別情報を取得する。例えば閲覧要求に含まれるユニーク識別情報が「１２３．１５．２３．０３．１０．１２」である場合、制御部１０１は、第１階層に係るユニーク識別情報「１２３」を取得する。そして制御部１０１は、登録情報テーブル５０３に基づき取得したユニーク識別情報「１２３」に対応付けられている完成図書データを特定する（ここでは「Ｂ００１．ｚｉｐ」）。そして制御部１０１は、通信部１０５を介して当該完成図書データを端末２に送信する。
【００５３】
完成図書データを受信すると、端末２の制御部２０１は、完成図書データを表示する（ステップＳ２０６）。そして端末２の制御部２０１は、閲覧履歴を記録する（ステップＳ２０７）。図１８は、完成図書データを閲覧するための閲覧画面１８００の一例である。閲覧画面１８００は、機器名称表示欄１８０１と、完成図書表示領域１８０２と、ページ表示欄１８０３と、ページ操作ボタン１８０４と、閲覧チェックボタン１８０５と、戻るボタン１８０６とを含む。完成図書データは、完成図書表示領域１８０２に表示され、作業者はページ操作ボタン１８０４を用いて所望のページを閲覧可能である。
【００５４】
本実施の形態では制御部２０１は、閲覧画面１８００の閲覧チェックボタン１８０５が作業者により選択された場合、完成図書データのうち、完成図書表示領域１８０２に表示されている閲覧部分（所定ページ等）が作業者により閲覧されたとして記録する。
【００５５】
続いて端末２の制御部２０１は、閲覧された閲覧部分を特定する閲覧履歴情報を、情報処理装置１に送信する（ステップＳ２０８）。情報処理装置１の閲覧履歴取得部１０８は、閲覧履歴情報を取得し（ステップＳ２０９）、記録媒体１０４に記憶する。
【００５６】
図１９に、記録媒体１０４に記憶された閲覧履歴情報の一例を示す。図１９に示すように、閲覧履歴情報５０４は、情報表示画面１７００に係る所定の機器のユニーク識別情報と、完成図書データ名称と、閲覧部分（ページ番号）に係る情報を含む。例えば図１９に示す例では、ユニーク識別情報「１２３．１５．２３．０３．１０．１２」の情報表示画面１７００から完成図書の閲覧要求した作業者が、完成図書データ“Ｂ００１．ｚｉｐ”に含まれるＰＤＦデータのうち、１０ページ〜１３ページを閲覧したことが記録されている。
【００５７】
続いて情報処理装置１のデータ抜粋部１０９は、記録媒体１０４に記憶された閲覧履歴情報に基づき、完成図書データから閲覧部分を抜粋し、抜粋データを作成する（ステップＳ２１０）。続いて情報処理装置１の制御部１０１は、当該抜粋データを、閲覧履歴に係る所定の機器の登録データテーブルに登録する。例えば完成図書データ“Ｂ００１．ｚｉｐ”に含まれるＰＤＦデータのうち、１０ページ〜１３ページの抜粋データを、「部品４」の登録データテーブルに登録する（ステップＳ２１０）。図２０に、「部品４」の登録データテーブルに、完成図書データの抜粋データが登録された場合の更新された登録データテーブル５０２ｂの一例を示す。図２０に示すように、“完成図書抜粋１．ｐｄｆ”が登録ファイル名に追加される。なおファイル名称はこれに限られず例えば当該機器の名称を含むファイル名称としてもよい。この場合例えばファイル名称を“完成図書抜粋_部品４．ｐｄｆ”等とする。
【００５８】
図２１は、更新された登録データテーブル５０２ｂに基づく所定の機器（ここでは「部品４」）に係る表示画面の例を示す。図１７において示したデータに加えて、完成図書の抜粋データへのリンクがアイコン１７０６として表示される。アイコン１７０６が作業者により選択された場合、完成図書データの抜粋データが、情報処理装置１からダウンロードされる。
【００５９】
このように本発明の一実施形態では、情報処理装置１が、端末２において表示される所定の機器に係る情報表示画面１７００から閲覧した場合の閲覧履歴情報に基づき、完成図書データのうち閲覧履歴のある閲覧部分へのリンクを、当該特定の機器に係る情報表示画面１７００において表示させることを特徴とする。ここで作業者はある所定の機器から完成図書データにアクセスした場合、当該所定の機器に関連する部分を閲覧する可能性が高い。そのため本発明の一実施形態によれば、閲覧履歴のある閲覧部分へのリンクを表示することで、作業者が完成図書データの中の所望の情報に、より迅速かつ容易にアクセスすることができる。
【００６０】
なお、上記ステップＳ２１０において、データ抜粋部１０９は、登録情報テーブル５０３に基づき、抜粋元の完成図書データに対応する工事情報を、抜粋データに対応付けて登録データテーブルに登録してもよい。このようにすることで抜粋データに、抜粋元の完成図書データと同一の工事情報が対応付けられるため、情報処理装置１において工事情報に基づいて情報の検索等において有用である。
【００６１】
ここで、情報処理装置１及び端末２として機能させるために、コンピュータを好適に用いることができ、そのようなコンピュータは、情報処理装置１及び端末２の各機能を実現する処理内容を記述したプログラムを、当該コンピュータの記憶部に格納しておき、当該コンピュータの中央演算処理装置（ＣＰＵ）によってこのプログラムを読み出して実行させることで実現することができる。
【００６２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【００６３】
例えば閲覧履歴情報には、閲覧日や閲覧時間を含んでもよい。閲覧日及び閲覧時間を含む閲覧履歴情報５０４ｂの一例を、図２２に示す。図２２に示すように、閲覧履歴情報５０４ｂは、作業者が完成図書を閲覧した日、及び閲覧したページ毎の閲覧時間が記録される。そして情報処理装置１のデータ抜粋部１０９は、当該閲覧履歴情報に基づき、完成図書データから閲覧時間が所定時間よりも長い閲覧部分を抜粋し、抜粋データを作成するようにする。例えば所定時間は５分とする。この場合、データ抜粋部１０９は、完成図書「Ｂ００１．ｚｉｐ」のうち、１２、１３、１４ページに係る抜粋データを作成する。このようにすることで、より長い時間閲覧がされている閲覧部分を適切に特定することができ、完成図書データの中の所望の情報に、より迅速かつ容易にアクセスすることができる。
【００６４】
他にも例えば閲覧履歴情報には、閲覧したページ毎の閲覧回数を含んでもよい。そして情報処理装置１のデータ抜粋部１０９は、閲覧履歴情報に基づき、完成図書データから閲覧回数が所定数よりも高い閲覧部分を抜粋し、抜粋データを作成するようにしてもよい。このようにすることで、より多い回数閲覧されている閲覧部分を適切に特定することができ、完成図書データの中の所望の情報に、より迅速かつ容易にアクセスすることができる。
【００６５】
他にも例えば閲覧履歴情報には、閲覧したページ毎の閲覧人数を含んでもよい。そして情報処理装置１のデータ抜粋部１０９は、閲覧履歴情報に基づき、完成図書データから閲覧人数が所定人数よりも高い閲覧部分を抜粋し、抜粋データを作成するようにしてもよい。このようにすることで、より多い人数に閲覧されている閲覧部分を適切に特定することができ、完成図書データの中の所望の情報に、より迅速かつ容易にアクセスすることができる。なおデータ抜粋部１０９は、閲覧時間、閲覧回数、閲覧人数を組み合わせて閲覧部分を抜粋するようにしてもよい。
【００６６】
また本実施の形態においては、データ抜粋部１０９が完成図書データを抜粋して、登録データテーブル５０２ｂに抜粋データを登録することで完成図書データのうち閲覧履歴のある閲覧部分へのリンクを所定の機器に係る情報表示画面１７００において表示させるようにしたがこれに限られない。例えば情報処理装置１は、データ抜粋部１０９により完成図書データから閲覧部分を抜粋せずに、完成図書データのうち閲覧部分を表示するためのリンク情報を情報表示画面１７００において表示させるようにしてもよい。
【符号の説明】
【００６７】
１  情報処理装置
２（２ａ〜２ｎ）  端末
１０１  制御部
１０２  記憶部
３  ネットワーク
１０３  記録媒体読取装置
１０４  記録媒体
１０５  通信部
１０６  バス
１０７  受付部
１０８  閲覧履歴取得部
１０９  データ抜粋部
２０１  制御部
２０２  記憶部
２０３  記録媒体読取装置
２０４  入出力制御部
２０５  通信部
２０６  バス
２０７  記録媒体
２０８  入出力Ｉ／Ｆ
５０１  識別情報テーブル
５０２ａ、５０２ｂ  登録データテーブル
５０３  登録情報テーブル
５０４  閲覧履歴情報
５０４ｂ  閲覧履歴情報
８００  登録画面
８０１  入力欄
８０２  データ取得ボタン
８０３  登録先名称表示部
８０４  登録先検索ボタン
８０５  登録ボタン
１０００  登録画面
１００１  登録先名称表示欄
１００２  工事情報表示欄
１００３  完成図書データ表示欄
１００４  登録ボタン
１１００  ダイアログボックス
１１０１  ファイル選択ボタン
１１０２  データ表示欄
１１０３  登録ボタン
１１０４  キャンセルボタン
１５００  ホーム画面
１５０１  ボタン
１５０２  検索ボタン
１６０１  撮像画像
１６０２  ＡＲタグ
１６０３  機器情報
１６０４  識別番号
１６０５  登録情報表示ボタン
１７００  情報表示画面
１７０１  機器名称表示欄
１７０２〜１７０４  アイコン
１７０５  完成図書データ取得ボタン
１８００  閲覧画面
１８０１  機器名称表示欄
１８０２  完成図書表示領域
１８０３  ページ表示欄
１８０４  ページ操作ボタン
１８０５  閲覧チェックボタン
１８０６  戻るボタン
【図１】
0006346062.tif 000002
【図２】
0006346062.tif 000003
【図３】
0006346062.tif 000004
【図４】
0006346062.tif 000005
【図５】
0006346062.tif 000006
【図６】
0006346062.tif 000007
【図７】
0006346062.tif 000008
【図８】
0006346062.tif 000009
【図９】
0006346062.tif 000010
【図１０】
0006346062.tif 000011
【図１１】
0006346062.tif 000012
【図１２】
0006346062.tif 000013
【図１３】
0006346062.tif 000014
【図１４】
0006346062.tif 000015
【図１５】
0006346062.tif 000016
【図１６】
0006346062.tif 000017
【図１７】
0006346062.tif 000018
【図１８】
0006346062.tif 000019
【図１９】
0006346062.tif 000020
【図２０】
0006346062.tif 000021
【図２１】
0006346062.tif 000022
【図２２】
0006346062.tif 000023